(57)【要約】【課題】下水用取付管の管路を管路外から栓手段にて容易かつ確実に閉塞できる老朽管路閉塞方法およびその装置を提供する。【解決手段】老朽管路閉塞装置１０は、栓手段１１と、この栓手段１１に係脱自在に係合される操作手段１２とを備える。栓手段１１は、固定締め付け部材１３と、この固定締め付け部材１３に対向する可動締め付け部材１５と、この固定締め付け部材１３と可動締め付け部材１５との各外周縁部１８，２０の間に跨って閉塞部材１６とを備える。栓手段１１に操作手段１２を係合して取付管２の管路内所定位置まで挿入し、前記操作手段１２を手許側で回転操作して前記可動締め付け部材１５を締め付け圧縮することにより閉塞部材１６は径方向に膨出して取付管２を閉塞し、閉塞部材１６によって取付管２を閉塞した後にコンクリートなどを取付管２に充填硬化する。【選択図】　　　　図１
2004027671.tif 000002
【特許請求の範囲】
【請求項１】
圧縮により膨出され下水管の管路内周面に圧着して管路を閉塞する閉塞部材を有する栓手段と、この栓手段に係脱自在に係合されかつこの栓手段の閉塞部材を圧縮してこの閉塞部材を膨出させる操作手段とを備え、
この操作手段に係合した前記栓手段を下水管の上流側開口端から管路内の所定位置まで挿入し、手許側で前記操作手段を操作することにより管路内の前記栓手段の閉塞部材を径方向に膨出させ管路の内周面に密着させて管路を閉塞し、この閉塞部材が管路を閉塞した状態で前記操作手段を前記栓手段から係合を解除して回収し、前記下水管内にこの下水管の上流側開口端から前記栓手段まで経時的に硬化する充填物を充填硬化させる
ことを特徴とする老朽管路閉塞方法。
【請求項２】
固定締め付け部材、この固定締め付け部材に対向する可動締め付け部材、前記固定締め付け部材と前記可動締め付け部材との間に配設されかつ前記可動締め付け部材を締め付けることにより圧縮されて径方向に膨出し下水管の管路内周面に圧着される閉塞部材、および前記固定締め付け部材と前記可動締め付け部材とを締め付ける締め付け機構を備えた栓手段と、
先端部に前記締め付け機構の締め付け部を形成するとともに基端部に第一操作部を有する操作体と、前記締め付け機構を締め付け操作可能に前記操作体を支持しかつ先端部に前記可動締め付け部材に係脱自在に係合する係合部を形成するとともに基端部に前記前記可動締め付け部材と前記係合部との係合の解除用の第二操作部を有する保持体とを備えた操作手段と
を具備することを特徴とする老朽管路閉塞装置。
【請求項３】
操作体の先端部の締め付け部と基端部の第一操作部との間、および保持体の先端部の係合部と基端部の第二操作部との間はそれぞれ可撓性材料によって連結した
ことを特徴とする請求項２記載の老朽管路閉塞装置。
【発明の詳細な説明】
【０００１】
【発明の属する技術分野】
本発明は、下水本管に接続された老朽した取付管などを掘削して除去せずに埋設した状態で閉塞する老朽管路閉塞方法およびその装置に関する。
【０００２】
【従来の技術】
一般に、宅地内に配管した排水管は公共桝を介して公共下水道の下水本管に取付管にて接続されている。この取付管などの老朽化した下水管路を更新する場合、この老朽化した管路を掘り出さず埋設したままの状態で放置すると、古くから使用されてきたコンクリートや陶器などによって成形された公共桝や取付管は、過大な負荷や地震などによって破損や断裂が生じ、この破損箇所や断裂箇所からは地下水などの不明水が流入する場合がある。
【０００３】
そして、この不明水が下水本管に流入して下水処理場に流入すると、この下水処理場が過負荷となり、特に、雨水とは別に処理する分流式の下水処理場において処理する公共下水道においては、前記不明水が下水処理場に大量に流入すると、運転に支障をきたすなどの問題があった。
【０００４】
【発明が解決しようとする課題】
そこで、このように老朽化した取付管から不明水が下水本管に流入することを防止するため、取付管を掘り出すことなく埋設したままの状態でパッカーといわれる風船状栓体にて取付管の下水本管の取付け部近傍を栓体で閉塞し、この栓体まで上流側からコンクリート、モルタルなどを充填し、老朽化した取付管を閉塞する方法が考えられている。しかし、取付管の管路内を閉塞するための栓体と、この栓体を膨らますための通気管を取付管の所定位置まで挿入するためには治具を必要とし、また、下水道本管との取付部近傍まで栓体を挿入してから膨らませ、取付管の管路内を閉塞するための通気管、治具などもコンクリート、モルタルなどと埋め込むため、不経済であった。
【０００５】
本発明は上記問題に鑑みなされたものであり、老朽した取付管の管路を管路外から容易かつ確実に閉塞でき、また、管路を栓手段にて閉塞した後、この栓手段の操作手段を回収することが出来る老朽管路閉塞方法およびその装置を提供することを目的とする。
【０００６】
【課題を解決するための手段】
請求項１の老朽管路閉塞方法は、圧縮により膨出され下水管の管路内周面に圧着して管路を閉塞する閉塞部材を有する栓手段と、この栓手段に係脱自在に係合されかつこの栓手段の閉塞部材を圧縮してこの閉塞部材を膨出させる操作手段とを備え、この操作手段に係合した前記栓手段を下水管の上流側開口端から管路内の所定位置まで挿入し、手許側で前記操作手段を操作することにより管路内の前記栓手段の閉塞部材を径方向に膨出させ管路の内周面に密着させて管路を閉塞し、この閉塞部材が管路を閉塞した状態で前記操作手段を前記栓手段から係合を解除して回収し、前記下水管内にこの下水管の上流側開口端から前記栓手段まで経時的に硬化する充填物を充填硬化させるものである。
【０００７】
そして、操作手段に係合した栓手段を、閉塞部材が膨出していない状態で下水管内の所定位置まで挿入し、手許側で前記操作手段を操作して前記栓手段の閉塞部材を径方向に膨出させ下水管の内周面に密着させて管路を閉塞する。この下水管を閉塞部材により閉塞した状態で前記操作手段を前記栓手段から係合を解除して下水管から引き抜き回収し、前記下水管の上流側の開口端から栓手段まで経時的に硬化するモルタルなどの充填物を下水管内に充填して硬化させる。
【０００８】
このように、栓手段は摩擦による抵抗が少ない状態で下水管の管路内の所定位置まで挿入でき、前記下水管を容易に閉塞することができ、操作手段を回収して再利用することが可能になり、また、前記下水管を確実に閉塞できて不明水が下水本管に流入することはない。
【０００９】
請求項２の老朽管路閉塞装置は、固定締め付け部材、この固定締め付け部材に対向する可動締め付け部材、前記固定締め付け部材と前記可動締め付け部材との間に配設されかつ前記可動締め付け部材を締め付けることにより圧縮されて径方向に膨出し下水管の管路内周面に圧着される閉塞部材、および前記固定締め付け部材と前記可動締め付け部材とを締め付ける締め付け機構を備えた栓手段と、先端部に前記締め付け機構の締め付け部を形成するとともに基端部に第一操作部を有する操作体と、前記締め付け機構を締め付け操作可能に前記操作体を支持しかつ先端部に前記可動締め付け部材に係脱自在に係合する係合部を形成するとともに基端部に前記前記可動締め付け部材と前記係合部との係合の解除用の第二操作部を有する保持体とを備えた操作手段とを具備するものである。
【００１０】
そして、前記栓手段に備えられた前記閉塞部材は、前記固定締め付け部材と、この固定締め付け部材に対向する可動締め付け部材との間に配設され、前記可動締め付け部材を締め付けることにより圧縮されて径方向に膨出し下水管の管路内周面に圧着するため、前記栓手段を前記管路内の所定位置まで挿入する際には前記閉塞部材は膨出していないので摩擦による抵抗が少なく、また、可動締め付け部材を締め付けることにより圧縮され径方向に膨出して下水管の管路内周面に圧着されることにより、前記下水管の管路を容易に閉塞することができる。
【００１１】
さらに、操作手段の先端部に形成した係合部を前記可動締め付け部材に係脱自在としたことにより、前記栓手段を下水管の管路の内周面に密着させて管路を閉塞した状態で前記操作手段を前記栓手段との係合を解除させて回収することができるため、この操作手段を再利用することが可能になる。
【００１２】
請求項３の老朽管路閉塞装置は、請求項２に記載の老朽管路閉塞装置において、操作体の先端部の締め付け部と基端部の第一操作部との間、および保持体の先端部の係合部と基端部の第二操作部との間はそれぞれ可撓性材料によって連結したものである。
【００１３】
そして、前記操作体と前記保持体とを可撓性材料によって連結したことにより、管路が屈曲していても、前記栓手段を管路内の所定位置まで容易に挿入でき、管路外の手許側で閉塞部材を管路の内周面に密着させて管路を閉塞する作業を容易に行うことができるとともに、前記可動締め付け部材と前記係合部との係合を解除することができる。
【００１４】
【発明の実施の形態】
以下、本発明の老朽管路閉塞方法の一実施の形態について、図面を参照して説明する。
【００１５】
図２に示すように、一般に家庭などに配設された排水管（図示せず）は宅地内のコンクリート製の公共桝１に接続し、またこの公共桝１にはコンクリート製あるいは陶器製などの取付管２の一端が接続され、この取付管２の他端は下水本管３に接続する。この下水本管３は下水処理場に接続されており、そして、家庭から流出した排水は排水管（図示せず）、公共桝１、取付管２を経て下水本管３に流れこみ、この下水本管３を通じて下水処理場に流入する。
【００１６】
そして、前記取付管２の管路内に挿入される老朽管路閉塞装置１０は、図１および図３に示すとおり、栓手段１１と、この栓手段１１に係脱自在に係合される操作手段１２とを備えている。
【００１７】
前記栓手段１１は、図１および図３に示すとおり、固定締め付け部材１３、係止部１４を有する可動締め付け部材１５、閉塞部材１６、締め付け機構１７とを備えている。
【００１８】
前記固定締め付け部材１３は、前記取付管２の管路内周部の内径よりも若干小さい外径寸法で、外周縁部１８が外面側から内面側に傾斜状に縮径した略円板状で、中央部には外面側から内面側にボルト挿通孔１９ａが貫通形成されている。
【００１９】
また、前記可動締め付け部材１５は、前記固定締め付け部材１３に離間対向して設けられており、前記取付管２の管路内周部の内径よりも若干小さい外径寸法で、外周縁部２０が外面側から内面側に傾斜状に縮径した略円板状で、略中央部にボルト挿通孔１９ｂが貫通形成されている。
【００２０】
そして、前記閉塞部材１６は、たとえばゴムなどの弾性体で成型し、前記固定締め付け部材１３の外周縁部１８と前記可動締め付け部材１５の外周縁部２０と略同一の外径を有する略円環形に形成され、また、この閉塞部材１６の内周面は、両側縁部から中央部に向かって、前記固定締め付け部材１３の外周縁部１８および前記可動締め付け部材１５の外周縁部２０と略同一の傾斜を有して漸次狭小に縮径したテーパー状に形成されており、前記固定締め付け部材１３の外周縁部１８と前記可動締め付け部材１５の外周縁部２０とに跨って配設される。
【００２１】
また、前記締め付け機構１７は、ボルト２１と、このボルト２１に螺合され被締め付け部となるナット２２とによって形成される。このボルト２１は、前記固定締め付け部材１３の外側から内側へ向けて前記ボルト挿通孔１９ａに嵌挿し、この固定締め付け部材１３に対向して設けられた前記可動締め付け部材１５のボルト挿通孔１９ｂの内側から外側へ向けて嵌挿し、この可動締め付け部材１５の外側に突出した部分には前記ナット２２が螺合されている。
【００２２】
そして、前記可動締め付け部材１５の外面には、係止部１４がボルト挿通孔１９ｂを中心として対称位置に２箇所に設けられている。この係止部１４は、前記可動締め付け部材１５の外面から突出形成しかつ外面に開口したねじ孔２３ａを有するボス部２３と、このボス部２３の端面に配設されかつ中央部に孔部２５を開口形成した座金体２４と、前記座金体２４の孔部２５から前記ボス部２３のねじ孔２３ａに螺合してこの座金体２４をボス部２３に固着するビス２６とにて形成され、この可動締め付け部材１５の外面と座金体２４との間には係合間隙２６ａが形成されている。
【００２３】
一方、図３および図４に示すとおり、前記操作手段１２は、操作体２７、および保持体２８とを備え、この操作体２７の先端部の締め付け部２９と基端部の第一操作部３０との間は、たとえばスプリング鋼などの可撓性を有する材料にて棒状に形成された軸体３１とにて連結されている。
【００２４】
前記操作体２７の先端部の前記締め付け部２９は、前記締め付け機構１７のナット２２に嵌合してこの操作体２７を軸方向に回動して前記ナット２２を前記ボルト２１に締め付け螺合するための略正六角形の締め付け孔３２を先端面に開口するとともに、基端側の底部３３が前記軸体３１の先端側に溶接されている。
【００２５】
また、前記操作体２７の基端部には、第一操作部３０が前記軸体３１に対して着脱自在に取り付けられている。この第一操作部３０は棒状で、図５に示すとおり、前記軸体３１の軸方向に対して垂直に接合されている。
【００２６】
さらに、図３および図６に示すとおり、前記保持体２８は、先端部に係合部３５を一体に形成した係合部材３４と、第二操作部３７を設けた基端部の支持部３６と、この係合部材３４と支持部３６とを連結する連結部３８とを備えている。
【００２７】
前記保持体２８の先端部の係合部材３４は、先端面が前記操作体２７の締め付け部２９に嵌合可能な大きさに開口した略円筒形に形成され、前記操作体２７の締め付け部２９を栓手段１１の締め付け機構１７のナット２２に嵌合してこのナット２２を締め付け螺合操作することができるように、前記操作体２７の締め付け部２９を回動可能に保持している。
【００２８】
また、この係合部材３４の先端部外縁に沿って、略円盤状の係合部３５が径方向に突出して設けられている。この係合部３５は、前記可動締め付け部材１５の外面と座金体２４との間の前記係合間隙２６ａに挿入される厚みを有し、この係合部３５には、径方向の溝状に開口し前記栓手段１１の係止部１４を挿入案内する一対の挿入開口部３９と、この挿入開口部３９に連続して周方向に軸対称に形成された係合溝部４０とを有している。
【００２９】
一方、前記保持体２８の基端部の支持部３６は基端部に底面部４２を有する有底円筒形で、この底面部４２の略中央部には前記軸体３１を回動可能に挿通して支持する挿通孔４３が貫通形成されている。
【００３０】
また、図６および図７に示すとおり、前記係合部材３４と前記支持部３６との間は、可撓性を有する材料によって形成されてコイル状に巻回された連結部３８によって連結され、この連結部３８の先端側には前記係合部材３４が取り付けられており、この連結部３８の基端側には前記支持部３６が前記連結部３８の基端側内周に嵌合固着され、この支持部３６には前記係合部材３４の係合部３５と前記係止部１４との係合を解除操作する第二操作部３７が溶接されている。また、前記支持部３６の中央部には挿通孔４３が形成されている。
【００３１】
そして、前記連結部３８の外周部は可撓性を有するカバー体３８ａによって被覆されている。
【００３２】
次に、本発明の実施の形態において、この老朽管路閉塞装置を用いて老朽管路を閉塞する方法を以下に説明する。
【００３３】
まず、図２に示す公共桝１を掘り起こして除去し、前記取付管２の上流側を開口する。
【００３４】
次に、下水本管３に接続されている取付管２の長さを確認し、この取付管２の下水本管３に開口した先端近傍に閉塞部材１６を位置させて操作手段１２の第一操作部３０と第二操作部３７とが基端開口部より外方に位置される長さの操作手段１２を用意する。そして、図１に示すとおり、栓手段１１の可動締め付け部材１５の外面側において、前記操作体２７の先端面に開口した前記締め付け孔３２を前記ナット２２に嵌合し、また、前記係止部１４を前記係合部材３４の係合部３５の挿入開口部３９に合せて前記係合部３５を前記可動締め付け部材１５の外面に当接し、前記第二操作部３７を時計方向に回転させて前記可動締め付け部材１５の外面と座金体２４との間に位置する係合間隙２６ａのボス部２３に前記係合部３５の係合溝部４０を係合して、この操作手段１２の先端に栓手段１１を係合することにより、前記栓手段１１側を先にして、前記栓手段１１と前記操作手段１２を前記取付管２の開口端から挿入し、前記栓手段１１を前記取付管２の下水本管３近傍の所定位置まで嵌挿する。
【００３５】
次に、手許側にて前記操作手段１２の第二操作部３７を保持したまま第一操作部３０を時計方向に回転させる操作を行い、前記軸体３１を回転させて前記操作体２７の先端面に開口した前記締め付け孔３２を時計方向に回転させることにより前記ナット２２が締め付け螺合され、前記可動締め付け部材１５と前記固定締め付け部材１３との間隙が狭められてこの両外周縁部１８，２０との間に跨って配設された栓手段１１の前記閉塞部材１６が径方向に膨出されて管路の内周面に密着し、前記取付管２の管路を閉塞する。
【００３６】
次に、前記操作手段１２の手許側において、前記第一操作部３０を保持したまま前記第二操作部３７を反時計方向に回転させる操作を行い、前記可動締め付け部材１５のボス部２３と前記係合部３５の係合溝部４０との係合を解除し、さらに保持体２８を引き抜き方向に引き出して前記可動締め付け部材１５から前記係合部３５を離反して前記栓手段１１から前記操作手段１２を離脱させ、前記操作手段１２を前記取付管２の開口端から抜き出して回収する。
【００３７】
そして、前記操作手段１２を回収した後、前記取付管２の内部に、この取付管２の上流側開口端からこの前記栓手段１１まで、たとえばモルタルのような経時的に硬化する充填物を管路内に流し込んで充填させると、この充填物は経時的に硬化されて前記取付管２を閉塞する。
【００３８】
次に、この実施の形態の作用について説明する。
【００３９】
前記栓手段１１に備えられた前記閉塞部材１６は、前記固定締め付け部材１３と、この固定締め付け部材１３に対向する可動締め付け部材１５との間に配設され、前記可動締め付け部材１５を締め付けることにより圧縮されて径方向に膨出し下水管としての取付管２の管路内周面に圧着するため、前記栓手段１１を前記管路内の所定位置まで挿入する際には前記閉塞部材１６は膨出していないので摩擦による抵抗が少なく、また、可動締め付け部材１５を締め付けることにより圧縮され径方向に膨出して取付管２の管路内周面に圧着されることにより、前記取付管２の管路を容易に閉塞することができる。
【００４０】
また、操作手段１２の先端部に形成した係合部材３４の係合部３５を前記可動締め付け部材１５に係脱自在としたことにより、前記栓手段１１を前記取付管２の管路の内周面に密着させて管路を閉塞した状態で前記操作手段１２を前記栓手段１１との係合を解除させて回収することができるため、この操作手段１２を再利用することが可能になる。
【００４１】
そして、操作手段１２に係合した栓手段１１を、閉塞部材１６が膨出していない状態で取付管２内の所定位置まで挿入し、手許側で前記操作手段１２を操作して前記栓手段１１の閉塞部材１６を径方向に膨出させ取付管２の内周面に密着させて管路を閉塞する。この取付管２を閉塞部材１６により閉塞した状態で前記操作手段１２を前記栓手段１１から係合を解除して取付管２から引き抜き回収し、前記取付管２の上流側の開口端から管路が経時的に硬化するモルタルの充填物を取付管２内に充填して硬化させる。
【００４２】
このように、栓手段１１は摩擦による抵抗が少ない状態で取付管２の管路内の所定位置まで挿入でき、前記取付管２を容易に閉塞することができ、操作手段１２を回収して再利用することが可能になり、また前記取付管２を確実に閉塞できて不明水が下水本管３に流入することはない。
【００４３】
そして、前記操作手段１２が備える操作体２７と保持体２８とを可撓性材料によって連結したことにより、取付管２の管路が屈曲していても、前記栓手段１１を取付管２の管路内の所定位置まで容易に挿入でき、取付管２の管路外の手許側で閉塞部材１６を管路の内周面に密着させて取付管２の管路を閉塞する作業を容易に行うことができるとともに、前記可動締め付け部材１５と前記係合部３５との係合を解除することができる。
【００４４】
【発明の効果】
請求項１の発明によれば、栓手段は摩擦による抵抗が少ない状態で下水管の管路内の所定位置まで挿入でき、前記下水管を容易に閉塞することができ、操作手段を回収して再利用することが可能になり、また、前記下水管を確実に閉塞できて不明水が下水本管に流入することはない。
【００４５】
請求項２の発明によれば、栓手段を前記管路内の所定位置まで挿入する際には閉塞部材は膨出していないので摩擦による抵抗が少なく、また、可動締め付け部材を締め付けることにより圧縮され径方向に膨出して下水管の管路内周面に圧着されることにより、下水管の管路を容易に閉塞することができる。
【００４６】
さらに、栓手段を下水管の管路の内周面に密着させて管路を閉塞した状態で操作手段を栓手段との係合を解除させて回収することができるため、この操作手段を再利用することが可能になり、経済性が向上する。
【００４７】
請求項３の発明によれば、管路が屈曲していても、栓手段を管路内の所定位置まで容易に挿入でき、管路外の手許側で閉塞部材を管路の内周面に密着させて管路を閉塞する作業を容易に行うことができるとともに、可動締め付け部材と係合部材との係合を解除することができる。
【図面の簡単な説明】
【図１】本発明の一実施の形態を示す老朽管路閉塞装置の縦断側面図である。
【図２】下水管路の説明図である。
【図３】図１に示す、本発明の一実施の形態を示す老朽管路閉塞装置の一部を切り欠いた側面図である。
【図４】同上老朽管路閉塞装置の操作体の一部を切り欠いた側面図である。
【図５】同上老朽管路閉塞装置の操作体の正面図である。
【図６】同上老朽管路閉塞装置の保持体の一部を切り欠いた断面図である。
【図７】同上老朽管路閉塞装置の保持体の正面図である。
【符号の説明】
１０　　老朽管路閉塞装置
１１　　栓手段
１２　　操作手段
１３　　固定締め付け部材
１５　　可動締め付け部材
１６　　閉塞部材
１７　　締め付け機構
２７　　操作体
２８　　保持体
２９　　締め付け部
３０　　第一操作部
３５　　係合部
３７　　第二操作部
【図１】
2004027671.tif 000003
【図２】
2004027671.tif 000004
【図３】
2004027671.tif 000005
【図４】
2004027671.tif 000006
【図５】
2004027671.tif 000007
【図６】
2004027671.tif 000008
【図７】
2004027671.tif 000009